(57)【要約】【課題】安全注射器を提供する。【解決手段】本発明による安全注射器は、注射針の連結されたアダプタがO-リングの嵌められた状態でシリンダーのネック部に螺子結合されているため、使用時に注射針のふるえが防止されて所定の位置に注射針を正確に差し込むことができ、アダプタには凹溝が形成され、プランジャの２個の突起が該凹溝に嵌合されるので、プランジャを回転させた後に下降させるとアダプタも回転されてシリンダーとの螺子結合が解除されて下降し、プランジャ上側面の偏心された位置にロードが垂直方向に突出し、アダプタ内部にロードの先端が内側にしなって挿入され、注射針がシリンダー内部に回収されると、ロードの強い復元力により注射針が確実に一側に傾いて注射針を簡単に破壊することができ、シリンダー内部に進入するプランジャに手が接触することを防止できる突出板がプランジャの下側部に形成されているため、衛生が向上される効果がある。
2005515847.tif 000002
【特許請求の範囲】
【請求項１】
上側にネック部が突出形成され、内部に注射液を貯蔵するシリンダーと、
前記シリンダー内部に移動可能に挿入されたプランジャと、
前記シリンダーのネック部に結合されるアダプタと、
前記アダプタに連結された注射針とを含んで構成され、
前記プランジャの上側面には前記シリンダーの中心軸から偏心された位置に垂直方向にロードが突出され、
前記アダプタは内部に前記プランジャが上昇するときに前記ロードの先端が内側にしなって挿入される中空部が形成され、
前記アダプタは前記ネック部に螺子結合され、
前記アダプタと前記プランジャは前記プランジャが回転された後に下降すると前記アダプタも回転された後に下降して前記注射針がシリンダー内部に回収できる結合手段が形成されたことを特徴とする安全注射器。
【請求項２】
前記アダプタの上側にはハブが挿着され、前記ハブには前記注射針が嵌着されたことを特徴とする請求項１に記載の安全注射器。
【請求項３】
前記アダプタに前記注射針が直接嵌着されたことを特徴とする請求項１に記載の安全注射器。
【請求項４】
前記アダプタは底面から上側に所定距離だけ離隔された部位が前記ネック部に螺子結合されたことを特徴とする請求項１に記載の安全注射器。
【請求項５】
前記アダプタおよび前記シリンダのネック部には互いに螺子結合されるヘリカル螺子が形成されたことを特徴とする請求項１に記載の安全注射器。
【請求項６】
前記ヘリカル螺子はシリンダーの中心軸と直交する水平面から角度２５°〜５０°の傾きで形成されたことを特徴とする請求項５に記載の安全注射器。
【請求項７】
前記ヘリカル螺子はシリンダーの中心軸と直交する水平面から角度３０°の傾きで形成されたことを特徴とする請求項５に記載の安全注射器。
【請求項８】
前記ヘリカル螺子は２条で形成されたことを特徴とする請求項５に記載の安全注射器。
【請求項９】
前記結合手段は、前記アダプタの下側部内周面から外側方向に窪んで形成された複数の凹溝と、前記プランジャの上側面に外側方向に突出するように形成されて前記アダプタの凹溝に挿入される突起とから構成されたことを特徴とする請求項１に記載の安全注射器。
【請求項１０】
前記凹溝の底面には内側に突出された係止突部が形成されたことを特徴とする請求項９に記載の安全注射器。
【請求項１１】
前記係止突部は内側面が下側に向けて拡開される傾斜面で形成されたことを特徴とする請求項１０に記載の安全注射器。
【請求項１２】
前記係止突部は内側面が湾曲面で形成されたことを特徴とする請求項１０に記載の安全注射器。
【請求項１３】
前記突起は前記プランジャの上側面の偏心された位置に突出形成されたロードの下側部に形成されたことを特徴とする請求項９に記載の安全注射器。
【請求項１４】
前記突起は互いに対向するように２個が形成されたことを特徴とする請求項９に記載の安全注射器。
【請求項１５】
前記突起のうち、一つの突起は前記プランジャの上側面の偏心された位置に突出形成されたロードの下側部に形成され、もう一つの突起は前記ロードと対向するように前記プランジャの上側面に形成された突出棒に形成されたことを特徴とする請求項１４に記載の安全注射器。
【請求項１６】
前記アダプタに形成されて前記ロードが挿入される中空部は前記シリンダーの中心軸と同一線上に位置した中心軸を有し、上側に行くほど段々直径が縮小される円錐型から形成されたことを特徴とする請求項１に記載の安全注射器。
【請求項１７】
前記シリンダーのネック部に結合される前記アダプタの下端にフランジ部が形成されたことを特徴とする請求項１に記載の安全注射器。
【請求項１８】
前記アダプタのプランジャ部の上側面にO-リングが挿入されたことを特徴とする請求項１７に記載の安全注射器。
【請求項１９】
前記プランジャの下側につまみ部が形成され、前記つまみ部はそれぞれの側面の中央が内側に窪むように湾曲された４角形から形成されたことを特徴とする請求項１に記載の安全注射器。
【請求項２０】
前記プランジャの下側端につまみ部が形成され、前記つまみ部から所定距離だけ離隔されたプランジャ部位に突出板が形成されたことを特徴とする請求項１に記載の安全注射器。
【発明の詳細な説明】
【技術分野】
【０００１】
本発明は、注射器に関し、特に薬液を注射した後に注射針をシリンダー内に回収して破壊することにより、注射器の再使用を防止し、注射の完了後に医療従事者などが注射針に刺される不慮の事故を防ぐための安全注射器に関する。
【背景技術】
【０００２】
従来にも注射後に注射針をシリンダー内に回収して破壊させる安全注射器が提案されている。
【０００３】
従来の技術による前記安全注射器は注射液が貯蔵できる中空部が形成された長い円筒型のシリンダーと、前記シリンダーの上側部に突出形成されたネック部の内部にシーリングを介在した状態で垂直方向に嵌着されるアダプタと、前記アダプタの上側に固定されたハブと、前記ハブに嵌着される注射針と、前記シリンダー内部に上下移動可能に挿入されて前記シリンダーに注射液を吸い込んだり前記シリンダーに貯蔵された注射液を外部に排出させるプランジャとから構成され、前記プランジャの上側面には前記シリンダーの中心軸と同一な中心軸をもつように上側に突出され先端に矢印頭部を具備した突起が形成され、前記アダプタの内部には前記突起の矢印頭部が嵌合されシリンダーの中心軸から偏心されたソケット部が形成されて、前記プランジャを前記シリンダー内に完全に押し込むと投薬が完了しながら前記プランジャの上側に形成された突起の矢印頭部が前記アダプタのソケット部に嵌着される。前記状態でプランジャをシリンダーから引っ張って後退させると前記アダプタ、ハブおよび注射針はシリンダー内に移動されて回収されるが、前記注射針がシリンダー内部に入り終わると前記偏心されたソケット部により注射針がシリンダー内部の一側に傾くようになる。次に、プランジャをシリンダー内部に前進させるとシリンダー内で注射針が曲げられて破壊されることにより注射器の再使用が防止できる。
【０００４】
ところが、前記従来の技術による安全注射器は、注射針が上下直線移動可能にシリンダーのネック部に結合されているため、注射針を所定の力以上で圧迫すると注射針のふるえが生じて人体の正確な位置に注射針を差し込めない問題点がよく発生し、プランジャの先端に複雑な形状の矢印頭部を形成しアダプタに前記矢印頭部が引っかかるソケット部を形成しなければならないために注射器の製造コストが上昇すると共に、アダプタがシリンダーのネック部に所定の結着力以上に堅固に結合された場合にはプランジャを後退させても前記矢印頭部がアダプタのソケット部から離脱されて前記アダプタ、ハブおよび注射針がシリンダー内部に回収できない問題点があった。
【０００５】
かつ、注射完了時点において、前記矢印頭部がアダプタのソケット部に強制挿入されながら発生した衝撃が注射針を通じて人体に伝わってしまう問題点があった。
【０００６】
なお、従来の技術による安全注射器は、注射針がハブに固定され、前記ハブはアダプタに固定されるため、構成が複雑になって製造コストが上昇する問題点があった。
【０００７】
さらに、従来の技術による安全注射器は、注射器を把持している注射者の指がシリンダーに進入するプランジャ部位と接触することにより異物が人体に投入されて衛生が損なわれる問題点があった。
【発明の開示】
【発明が解決しようとする課題】
【０００８】
従って、本発明は、前述した従来の問題点を解決するために案出されたものであり、注射針が固定されたアダプタがシリンダーに堅実に結合されて、使用時には注射針が動かなく、注射が完了した後には簡単な操作により注射針をシリンダー内に回収して破壊することができる安全注射器を提供することにその目的がある。
【０００９】
かつ、本発明は、プランジャをシリンダー内に完全に進入させるとアダプタがプランジャ先端部と堅実に結合されて、注射が完了した後に注射針が固定されたアダプタをシリンダー内に確実に回収できる安全注射器を提供することに他の目的がある。
【００１０】
かつ、本発明は、安全注射器により人体に注射する場合、注射完了時点に人体に及ぼす衝撃を最小化できる安全注射器を提供することにさらに他の目的がある。
【００１１】
かつ、本発明は、注射針がシリンダー内に回収された場合、注射針を相当の偏心力によりシリンダー一側に傾かせることにより、注射針がシリンダーから抜け出ることを防止できる安全注射器を提供することにさらに他の目的がある。
【００１２】
かつ、本発明は、注射針の結合構成を単純化して製造コストを低減できる安全注射器を提供することにさらに他の目的がある。
【００１３】
かつ、本発明は、注射者の指が注射器のシリンダー内部に進入されるプランジャ部位と接触しないようにして異物が人体に投入されることを防止できる安全注射器を提供することにさらに他の目的がある。
【課題を解決するための手段】
【００１４】
前記の目的を達成するために、本発明の安全注射器は、上側にネック部が突出形成され、内部に注射液を貯蔵するシリンダーと、前記シリンダー内部に移動可能に挿入されたプランジャと、前記シリンダーのネック部に結合されるアダプタと、前記アダプタに連結された注射針とを含んで構成され、前記プランジャの上側面には前記シリンダーの中心軸から偏心された位置に垂直方向にロードが突出され、前記アダプタは内部に前記プランジャが上昇するときに前記ロードの先端が内側にしなって挿入される中空部が形成され、前記アダプタは前記ネック部に螺子結合され、前記アダプタと前記プランジャは前記プランジャが回転された後に下降すると前記アダプタも回転された後に下降して前記注射針がシリンダー内部に回収できる結合手段が形成されたことを特徴とする。
【００１５】
一方、前記結合手段は前記アダプタの下側部内面に形成された凹溝と、前記プランジャの上側面に外側に向けて突出形成されて前記凹溝に挿入される突起とから構成される。
【００１６】
かつ、前記突起は前記ロードの外側に突出形成され、前記突起と対向する方向にもう一つの突起が前記プランジャの上側面に形成される。
【００１７】
前記のように構成された本発明による安全注射器は、前記プランジャを上昇させて前記シリンダー内部に完全に押し込むと前記プランジャの上側面に形成された突起が前記アダプタの凹溝に挿入され、前記ロードの先端は前記アダプタの中空部の内側に接触されてシリンダーの中心軸方向にしなって前記中空部に挿入される。
【００１８】
前記状態でプランジャを回転させると、前記突起がアダプタの凹溝に嵌合されているのでアダプタとプランジャが共に回転されて前記アダプタは前記ネック部との螺子結合状態が解除されてシリンダー内部に入るようになり、次にプランジャを引っ張るとアダプタと注射針がシリンダー内部に回収されるが、この際先端がシリンダーの中心軸方向にしなったロードは垂直方向に復元されながらアダプターの内面を一側に押してしまい、前記アダプタおよび注射針はシリンダー内部で一側に傾くようになり、前記状態でプランジャを前進させると注射針の先端がシリンダーの上側部内面に接触しながら曲げられて破壊される。
【発明の効果】
【００１９】
本発明に係る安全注射器は、注射針が連結されたアダプタがO-リングが介在した状態でシリンダーのネック部に螺子結合されているため、使用時に注射針のふるえが防止されて所定の位置に注射針を正確に差し込むことができ、アダプタに凹溝が形成されプランジャに離隔された２個の突起が互いに対向するように形成されて前記凹溝に嵌合されるので、プランジャを回転した後に下降させるとアダプタも回転されてシリンダーとの螺子結合が解除されて下降し、プランジャ上側面の偏心された位置にロードが垂直方向に突出され、前記アダプタ内部に前記ロードの先端が内側にしなって挿入される円錐型の中空部が形成され、前記注射針がシリンダー内部に回収されると、ロードの強い復元力により前記注射針が確実に一側に傾いて注射針を簡単に破壊することができ、プランジャの下側部に手の接触を防止する突出板が形成されて衛生が向上される効果がある。
【発明を実施するための最良の形態】
【００２０】
以下、本発明に係る好ましい実施形態を添付図面を参照しつつ詳細に説明する。
【００２１】
図１は本発明の第１実施例による注射器が示された断面図であり、図２は本発明の第１実施例による注射器の分解斜視図であり、図３は図１に示されたアダプタおよびプランジャの上側部が拡大された断面図である。
【００２２】
本発明の第１実施例による注射器は図１、２、３に示したように、内部に注射液が貯蔵できるように空間部１０ｂの形成された長い円筒型のシリンダー１０と、前記シリンダー１０の上側に連結された注射針結合体２０と、前記シリンダー１０の内部に上下移動可能に挿入されて前記シリンダー１０の内部に注射液を吸い込んだり前記シリンダー１０に貯蔵された注射液を外部に排出させるプランジャ３０とから構成される。
【００２３】
前記シリンダー１０の上側には前記シリンダーより直径が縮小した円筒型のネック部１１が突出形成され、前記ネック部１１の中心軸はシリンダー１０の中心軸Ｙと同一線上に位置される。一方、前記ネック部１１は下側ネック部１１ａと前記下側ネック部より直径の縮小された上側ネック部１１ｂとから形成され、前記下側ネック部１１ａの内周面には雌螺子１１ｃが形成され、前記シリンダー１０の下側端にはつまみ部１２が形成される。
【００２４】
前記注射針結合体２０は前記ネック部１１に結合されるアダプタ２１と、下側部が前記アダプタ２１に接着されて固定される注射針２２とから構成される。
【００２５】
前記アダプタ２１は、図２、３に示したように、全体的な形状が円筒型でありシリンダー１０の先端部に結合される下側円筒部２１ａと、前記下側ネック部１１ａと結合される中央円筒部２１ｂと、前記上側ネック部１１ｂに嵌合される上側円筒部２１ｃとから形成され、前記中央円筒部２１ｂの外周面に雄螺子２１ｄが形成されて前記下側ネック部１１の雌螺子１１ｃに螺子結合され、前記アダプタ２１の底面にフランジ部２１ｅが形成される。
【００２６】
前記雄螺子２１ｄおよび雌螺子１１ｃは１ないし８条のヘリカル螺子から形成され、前記ヘリカル螺子は前記フランジ部２１ｅの水平面から２５°〜５０°の傾斜角度(θ)で傾いて形成される。
【００２７】
前記螺子は２条から形成することが望ましく、前記傾斜角度(θ)は３０°であることが望ましい。
【００２８】
前記シリンダー１０の上側部内部には環状の窪んだシート部１０ｄが形成されて、前記アダプタ２１が前記ネック部１１に螺子結合された場合、前記アダプタ２１のフランジ部２１ｅが前記シート部１０ｄに嵌合され、前記シート部１０ｄにO-リング５０が前記フランジ部２１ｅの上側に位置するように挿入され、前記アダプタ２１は前記シリンダ１０の上側部に堅実に結合される。
【００２９】
かつ、前記アダプタの下側円筒部の外面に環型の突が２１ｆが形成され、前記O-リング５０は前記フランジ部２１ｅと突部２１ｆとの間に嵌合される。
【００３０】
一方、前記プランジャ３０は前記シリンダー１０の中心軸Ｙと同一な中心軸をもつ柱体３１と、前記柱体３１から放射状で突出された複数のリーブ３２とから構成され、前記ロード３１の上側にヘッド部３３が形成されて前記ロード３１の下側に多角形のつまみ部３５が形成される。
【００３１】
前記つまみ部３５は指を用いて回転を容易にするため、それぞれの側面の中央が内側に窪むように若干湾曲された４角形に形成されることが望ましい。
【００３２】
一方、前記プランジャ３０のつまみ部３５から一定距離だけ離隔された柱体３１部位に円形の突出板６０が形成される。
【００３３】
前記突出板６０の直径はシリンダー１０の直径より大きく形成されてその突出板６０がシリンダー１０の内部に入ることができなく、よって、注射時に注射者がプランジャ３０のつまみ部３５を指で取った時、指が前記突出板６０により支持されて指がシリンダー１０の内部に進入されるプランジャ３０部位に接触されることを防止するため、細菌などにより注射器の内部が汚染されることを防止する。
【００３４】
前記ヘッド部３３の上側面には図２、図３および図５に示したように、前記シリンダー１０の中心軸Ｙに所定距離(ｌ1)だけ偏心された位置に垂直方向に４角棒型の長いロード３４が形成される。
【００３５】
かつ、前記アダプタ２１の内部には底面から上側に向けて中空部２４が形成される。前記アダプタ２１の内面は前記中空２４の下側部が円筒型２４ｇから形成された後、上側に行くほど段々直径が縮小する円錐型２４ｇ'から形成され、前記中空部２４の中心軸はシリンダー１０の中心軸Ｙと同一線上に位置する。
【００３６】
一方、アダプタ２１の前記円錐型２４ｇ'は、前記ロード３４が上昇する場合に前記ロード３４の先端が前記円錐型２４ｇ'の内面に接触されながらシリンダーの中心軸Ｙの方にしなうように形成される。
【００３７】
かつ、上側アダプタ２１の中空部２４は注射液が通過できるように上側方向に形成された長い穴２１ｈと連通される。
【００３８】
一方、前記プランジャ３０と前記アダプタ２１には、前記プランジャ３０が回転された後に下降すると前記アダプタ２１も回転された後に下降できるように結合手段が形成される。前記結合手段はプランジャ３０の上側部に形成された突起３５、３７と、前記突起３５、３７が嵌合できるように前記アダプタ２１の下側部内面に形成された凹溝２６とから構成される。
【００３９】
前記突起のうち一つの突起３５は前記ロード３４の下側部に外側方向に突出形成され、もう一つの突起３７は前記ロード３４に形成された突起３５と対向するように形成される。
【００４０】
すなわち、突起３７はプランジャのヘッド部３３から突出された円形突出部３６の一側に形成されるが、前記突起３７はシリンダーの中心軸Ｙを中心として前記ロード３４と１８０°対向した位置に上側および外側方向に突出形成される。
【００４１】
一方、前記ロード３４および突起３５、３７は外部の力により曲げられ、外部の力が解除されると復元される柔軟性の材質から一体型で形成される。
【００４２】
なお、前記中空部２４の内面には４個の凹溝２６が等間隔で形成され、前記凹溝２６の幅ｔ1は前記プランジャ３０に形成された突起３６の幅ｔ2より大きく形成されて、プランジャ３０が上昇すると前記突起３６が前記凹溝２６に嵌合される。
【００４３】
一方、前記凹溝２６は前記中穴部２４の内面に放射状で４個の柱２７が内側方向に突出されることにより形成される。
【００４４】
一方、前記凹溝２６の下側部にはフランジ部２１ｅから内側に延長された環状の係止突部２１ｅ'が形成され、前記係止突部２１ｅ'の内面は湾曲されて形成され、プランジャ３０が上昇して前記突起３５、３７が前記柱２７の底面にぶつかる場合にも前記突起は前記係止突部２１ｅ'の湾曲面に沿って摺動しながら内側方向に若干しなった後、前記凹溝２６に円滑に挿入される。
【００４５】
一方、前記プランジャ３０のヘッド部３３に環型のパッキング部材４０が被せられる。
【００４６】
前記のように構成された本発明の実施例による注射器の組立過程および作動を説明すると次の通りである。アダプタ２１にO-リング５０を挿入し、前記アダプタ２１をシリンダー１０の下側からシリンダー内部を通じて所定の力でネック部１１側に押し込むと、アダプタ２１がネック部１１に螺子結合されながら上昇してアダプタ２１のフランジ部２１ｅがシリンダー１０の上側部内面に形成されたシート部１０ｄに嵌合された状態でアダプタ２１とネック部１１が堅実に結合された後、前記アダプタ２１の入口に注射針２２を投入し接着剤を貼ると注射針２２が前記アダプタ２１に固定される。次に、プランジャ３０のヘッド部３３にパッキング部材４０を被せてプランジャ３０をシリンダー１０の内部に押し込むと注射器の組立が完了する。
【００４７】
前記注射器を使用しようとする場合には、注射液が入っている容器に注射針２２を取り付けた後、プランジャ３０を後退させると注射液がシリンダー１０の内部に吸い込まれてシリンダー１０の空間部１０ｂに充填される。注射液が充填された注射器の注射針２２を所定の人体部位に刺してプランジャ３０を前進させると、注射液が注射針２２を通じて人体に投与される。プランジャ３０が前進して、図６および図７に示したように、プランジャ３０のヘッド部３３に被せられたパッキング部材４０がアダプタ２１のフランジ部２１ｅに接触されると注射液の投与が完了する。
【００４８】
この際、プランジャ３０のヘッド部３３に形成された突起３５、３７はアダプタ２１の凹溝２６に挿入されてロード３４は中空部２４に嵌合されるが、前記ロードの先端は前記アダプタ２１の円錐型内側２４ｇ'に接触されてシリンダーの中心軸Ｙの方にしなうようになる。この際、前記ロード３４がしなうと、図７に示したように、突出部３６および突起２７の注射液の投与が完了した後に人体から注射針２２を抜いて、プランジャ３０のつまみ部３５を逆回転させると、アダプタ２１の凹溝２６に嵌合された突起３５、３７によりアダプタ２１を含む注射針結合体２０はプランジャ３０と共に逆回転されてネック部１１との螺子結合が解除されながらシリンダー１０の内部に若干移動される。
【００４９】
プランジャ３０およびアダプタ２１が回転されてアダプタ２１がネック部１１から螺子締付が完全に解除された後にプランジャ３０を後退させると、突起３５、３７が係止突部２１ｅ'に係止されてアダプタ２１を含む注射針結合体２０は、図８に示したように、シリンダー内部に戻ってくるが、前記ロード３４が元通りの垂直方向に復帰しながらアダプタの円錐型内壁２４ｇ'を一側に圧迫してアダプタ２１が一側に傾き、よって注射針２２の先端が傾いてシリンダー１０の一側面に接触するようになる。
【００５０】
次に、プランジャ３０を前進させると、図９に示したように、注射針２２の先端がシリンダー１０の上側部内面に引っかかって曲げられながら破壊される。
【００５１】
本発明の第２実施例が図１０ないし図１４に示されている。
【００５２】
本発明の第２実施例による安全注射器は、図１０、１１、１２に示したように、内部に注射液が貯蔵できるように空間部１１０ｂの形成された長い円筒型のシリンダー１１０と、前記シリンダー１１０の上側に連結された注射針結合体１２０と、前記シリンダー１１０の内部に上下移動可能に挿入されて前記シリンダー１１０内部に注射液を吸い込んだり前記シリンダー１１０に貯蔵された注射液を外部に排出させるプランジャ１３０とから構成される。
【００５３】
前記シリンダー１１０の上側には前記シリンダーより直径が縮小した円筒型のネック部１１１が突出形成され、前記ネック部１１１の中心軸はシリンダー１１０の中心軸Ｙと同一線上に位置し、前記ネック部１１１の内周面には雌螺子１１１ａが形成され、前記シリンダー１１０の下側端にはつまみ部１１２が形成される。
【００５４】
前記注射針結合体１２０は前記ネック部１１１に結合されるアダプタ１２１と、前記アダプタ１２１の上側部に強制嵌合されるハブ１２３と、前記ハブ１２３の上側部に嵌着される注射針１２２とから構成される。
【００５５】
前記アダプタ１２１は下側部が円筒型で形成され上側部は円錐型で形成されて、アダプタ１２１の外周面に雄螺子１２１ａが形成されて前記ネック部１１１の雌螺子１１１ａに螺子結合され、前記アダプタ１２１の底面にフランジ部１２１ｂが形成される。
【００５６】
一方、前記シリンダー１１０の上側部内部には環状の窪んだシート部１１０ｄが形成されて、前記アダプタ１２１が前記ネック部１１１に螺子結合された場合に前記アダプタ１２１のフランジ部１２１ｂが前記シート部１１０ｄに嵌合され、前記シート部１１０ｄにO-リング１５０が前記フランジ部１２１ｂの上側に位置するように挿入され、前記アダプタ１２１は前記シリンダー１１０の上側部に密封された状態で堅実に結合される。
【００５７】
一方、前記プランジャ１３０は前記シリンダ１１０の中心軸Ｙと同一な中心軸をもつ柱体１３１と、前記柱体１３１から放射状で突出された複数のリーブ１３２とから構成され、前記ロード１３１の上側にヘッド部１３３が形成されて前記ロード１３１の下側に多角形のつまみ部１３５が形成される。
【００５８】
前記つまみ部１３５は指を用いて回転を容易にするためにそれぞれの側面の中央が内側に窪むように若干湾曲された４角形に形成することが望ましく、その底面には手の滑りを防止するために多数の微細突起１３５ａが形成されている。
【００５９】
前記ヘッド部１３３の上側面には、図１１、図１２および図１４に示したように、前記シリンダー１１０の中心軸Ｙに偏心された位置に垂直方向に４角棒型の長いロード１３４が形成される。
【００６０】
なお、前記アダプタ１２１の内部には底面から上側に向けて中空部１２４が形成される。前記アダプタ１２１の内面１２４ａは前記中空部１２４が上側に行くほど段々直径が縮小して円錐型に形成され、前記中空部１２４の中心軸はシリンダー１１０の中心軸Ｙと同一線上に位置する。
【００６１】
一方、アダプタ１２１の前記円錐型の内面１２４ａは、前記ロード１３４が上昇する場合に前記ロード１３４の先端が前記内面１２４ａに接触されながらシリンダーの中心軸Ｙの方にしなうように形成される。
【００６２】
なお、上側アダプタ１２１の中空部１２４は注射液が通過できるように上側方向に形成された長い穴１２１ｃと連通される。
【００６３】
一方、前記プランジャ１３０と前記アダプタ１２１には、前記プランジャ１３０が回転された後に下降すると前記アダプタ１２１も同じく回転された後に下降できるように結合手段が形成される。前記結合手段はプランジャ１３０の上側部に形成された突起１３５、１３７と、前記突起１３５、１３７が嵌合できるように前記アダプタ１２１の下側部内面に形成された凹溝１２６とから構成される。
【００６４】
また、前記中空部１２４の下側部内面には４個の凹溝１２６が等間隔で形成され、前記凹溝１２６の幅ｔ1'は前記プランジャ１３０に形成された突起１３６の幅ｔ2'より大きく形成されてプランジャ１３０が上昇すると前記突起１３６が前記凹溝１２６に嵌合される。
【００６５】
一方、前記凹溝１２６の下側部にはフランジ部１２１ｂから内側に延長された環状の係止突部１２１ｂ'が形成され、前記係止突部１２１ｂ'の内面は下側方向に拡開するように湾曲されて形成され、プランジャ１３０が上昇して前記突起１３５、１３７が前記突出壁１２７の内面にぶつかる場合、前記突起１３６が前記係止突部１２１ｂ'の湾曲面に沿って摺動しながら内側方向に若干しなった後に前記凹溝１２６に円滑に挿入される。
【００６６】
一方、前記プランジャ１３０のヘッド部１３３に環型のパッキング部材１４０が被せられる。
【００６７】
かかる本発明の第２実施例による注射器の組立過程と作動は本発明の第１実施例とあんまり変わらないので、ここでは説明を省くことにする。
【図面の簡単な説明】
【００６８】
【図１】本発明の第１実施例による注射器の断面図。
【図２】図１に示された注射器の分解斜視図。
【図３】図１に示された注射器のアダプタとプランジャの先端部を拡大した断面図。
【図４】図３のＡ−Ａ線の断面図。
【図５】図３のプランジャの平面図。
【図６】注射が完了した状態の本発明の第１実施例による注射器を示した断面図。
【図７】図６に示されたアダプタとプランジャの先端が結合された状態を示した拡大図。
【図８】注射針結合体がシリンダー内部に回収された状態を示した本発明の第１実施例による注射器の断面図。
【図９】シリンダー内部に回収された注射針が破壊された状態を示した本発明の第１実施例による注射器の断面図。
【図１０】本発明の第２実施例による注射器の断面図。
【図１１】図１０に示した注射器の分解斜視図。
【図１２】図１０に示した注射器のアダプタとプランジャの先端部を拡大した断面図。
【図１３】図１２のＢ−Ｂ線の断面図。
【図１４】図１２のＣ−Ｃ線の断面図。
【図１】
2005515847.tif 000003
【図２】
2005515847.tif 000004
【図３】
2005515847.tif 000005
【図４】
2005515847.tif 000006
【図５】
2005515847.tif 000007
【図６】
2005515847.tif 000008
【図７】
2005515847.tif 000009
【図８】
2005515847.tif 000010
【図９】
2005515847.tif 000011
【図１０】
2005515847.tif 000012
【図１１】
2005515847.tif 000013
【図１２】
2005515847.tif 000014
【図１３】
2005515847.tif 000015
【図１４】
2005515847.tif 000016
【国際調査報告】
2005515847.tif 000017
2005515847.tif 000018